(57)【要約】 【課題】  要介助者及び介助者に負担を掛けることなく、要介助者の臀部や大腿部の裏側を洗い流すことができる車椅子を提供することを目的としている。【解決手段】  着座する要介助者Ａの身体の一部が載せられる座部３が備えられている車椅子１において、座部３の少なくとも一部は、下方に開閉する開閉座部材８，９、上下方向に移動する上下動座部材又は左右方向に延在されているとともに隙間をあけて複数配設された軸回転自在のローラー座部材のうち少なくとも何れかで形成されている。【選択図】      図１
2005118122.tif 000002
【特許請求の範囲】
【請求項１】
着座する要介助者の身体の一部が載せられる座部が備えられている車椅子において、
前記座部の少なくとも一部は、下方に開閉する開閉座部材で形成されていることを特徴とする車椅子。
【請求項２】
請求項１記載の車椅子において、
前記座部には、複数の前記開閉座部材が備えられているとともに、複数の前記開閉座部材のうち何れか一方の開閉座部材を閉めた状態で他方の開閉座部材を開ける開閉手段が備えられていることを特徴とする車椅子。
【請求項３】
着座する要介助者の身体の一部が載せられる座部が備えられている車椅子において、
前記座部のうちの少なくとも一部は、上下方向に移動する上下動座部材で形成されていることを特徴とする車椅子。
【請求項４】
請求項３記載の車椅子において、
前記座部には、複数の前記上下動座部材が備えられているとともに、複数の前記上下動座部材のうち何れか一方の上下動座部材を下方に移動させた状態で他方の上下動座部材を上方に移動させる上下動手段が備えられていることを特徴とする車椅子。
【請求項５】
着座する要介助者の身体の一部が載せられる座部が備えられている車椅子において、
前記座部のうちの少なくとも一部は、左右方向に延在されているとともに隙間をあけて複数配設された軸回転自在のローラー座部材で形成されていることを特徴とする車椅子。
【発明の詳細な説明】
【技術分野】
【０００１】
本発明は、着座したままの状態で要介助者の身体を洗う際の要介助者を着座させる車椅子に関する。
【背景技術】
【０００２】
一般に、車椅子に着座した要介助者の身体を洗い流す場合には、入浴用の車椅子に要介助者を乗せ、当該車椅子に着座させたままの状態で要介助者の身体にシャワーを浴びせる等して行われる。車椅子に着座している要介助者の中には下半身を全く動かすことができない人も多いため、できるだけ要介助者が自力で動く必要がない状態で身体を洗うことが望ましい。近年、要介助者の負担を軽減するため、移乗させるときに要介助者の臀部がよじれ擦れることがない車椅子等が提供されている（例えば、特許文献１参照。）
【特許文献１】特開平１０−２２５４９４号公報  （第３−５頁、第１図）
【発明の開示】
【発明が解決しようとする課題】
【０００３】
しかしながら、上記した従来の車椅子では、車椅子に着座している要介助者の臀部や大腿部の裏側が車椅子の座部に接触しているため、要介助者の臀部や大腿部の裏側を洗う場合には要介助者が側方に身体を倒して臀部や大腿部を上げる必要があり、要介助者の負担が大きいという問題が存在する。また、要介助者が自力で全く動かすことができない場合は介助者が要介助者の身体を持ち上げる等する必要があり、介助者にとっても負担が大きいという問題が存在する。
【０００４】
本発明は、上記した従来の問題が考慮されたものであり、要介助者及び介助者に負担を掛けることなく、要介助者の臀部や大腿部の裏側を洗い流すことができる車椅子を提供することを目的としている。
【課題を解決するための手段】
【０００５】
請求項１記載の発明は、着座する要介助者の身体の一部が載せられる座部が備えられている車椅子において、前記座部の少なくとも一部は、下方に開閉する開閉座部材で形成されていることを特徴としている。
【０００６】
このような特徴により、開閉座部材の上に載せられた要介助者の臀部や大腿部裏側の一部は、当該開閉座部材が下方に開き開閉座部材が離れることで座部の下方に露出される。このとき、要介助者の身体は下方に開いた開閉座部材以外の座部に支持されている。
【０００７】
請求項２記載の発明は、請求項１記載の車椅子において、前記座部には、複数の前記開閉座部材が備えられているとともに、複数の前記開閉座部材のうち何れか一方の開閉座部材を閉めた状態で他方の開閉座部材を開ける開閉手段が備えられていることを特徴としている。
【０００８】
このような特徴により、複数の開閉座部材の開閉は開閉手段によって全てが開いた状態になることはなく、少なくとも一方の開閉座部材は必ず閉じた状態となり、その開閉座部材によって要介助者の身体は支持される。また、複数の開閉座部材を交互に開閉させることで要介助者の臀部及び大腿部裏側は交互に露出される。
【０００９】
請求項３記載の発明は、着座する要介助者の身体の一部が載せられる座部が備えられている車椅子において、前記座部のうちの少なくとも一部は、上下方向に移動する上下動座部材で形成されていることを特徴としている。
【００１０】
このような特徴により、上下動座部材が上方に移動したときには、要介助者の身体は上下動座部材によって支持され、上下動座部材に接触する臀部や大腿部裏側の一部以外のその他の臀部や大腿部裏側の一部は、上方に移動する上下動座部材以外の座部から離れて露出される。また、上下動座部材が下方に移動したときには、要介助者の身体は上下動座部材以外の座部によって支持され、下方に移動する上下動座部材に接触していた臀部や大腿部裏側の一部は露出される。
【００１１】
請求項４記載の発明は、請求項３記載の車椅子において、前記座部には、複数の前記上下動座部材が備えられているとともに、複数の前記上下動座部材のうち何れか一方の上下動座部材を下方に移動させた状態で他方の上下動座部材を上方に移動させる上下動手段が備えられていることを特徴としている。
【００１２】
このような特徴により、複数の上下動座部材は上下動手段によって全てが上方或いは下方に移動することはなく、一方の上下動座部材が上方に移動するときは他方の上下動座部材は下方に移動するため、少なくとも一方の上下動座部材によって要介助者の身体は支持される。また、複数の上下動座部材を交互に上下動されることで要介助者の臀部及び大腿部裏側は交互に露出される。
【００１３】
請求項５記載の発明は、着座する要介助者の身体の一部が載せられる座部が備えられている車椅子において、前記座部のうちの少なくとも一部は、左右方向に延在されているとともに隙間をあけて複数配設された軸回転自在のローラー座部材で形成されていることを特徴としている。
【００１４】
このような特徴により、隣り合うローラー座部材の間に形成された隙間によって、ローラー座部材に接触する要介助者の臀部や大腿部裏側の一部以外のその他の臀部や大腿部裏側の一部は座部の下方に露出される。また、要介助者の臀部や大腿部が載せられた複数のローラー座部材はそれぞれ軸回転自在に設けられているため、要介助者の臀部や大腿部を複数のローラー座部材の上で前後方向に摺動させる際、要介助者の臀部や大腿部裏側に接触するローラー座部材は軸回転され、ローラー座部材の軸回転によって要介助者の臀部や大腿部は前後方向に送り出される。
【発明の効果】
【００１５】
本発明に係る車椅子によれば、座部の少なくとも一部は下方に開閉する開閉座部材で形成されているため、開閉座部材の上に載せられた要介助者の臀部や大腿部裏側の一部は当該開閉座部材が下方に開き開閉座部材が離れることで座部の下方に露出される。これによって、露出された要介助者の臀部や大腿部裏側を洗い流すことができ、要介助者や介助者の負担を軽減することができる。
【００１６】
また、本発明に係る車椅子によれば、座部のうちの少なくとも一部は上下方向に移動する上下動座部材で形成されているため、上下動座部材が上方に移動したときには、要介助者の身体は上下動座部材によって支持され、上下動座部材に接触していない臀部や大腿部裏側の一部は露出され、上下動座部材が下方に移動したときには、要介助者の身体は上下動座部材以外の座部によって支持され、上下動座部材に接触していた臀部や大腿部裏側の一部は露出される。これによって、露出された要介助者の臀部や大腿部裏側を洗い流すことができ、要介助者や介助者の負担を軽減することができる。
【００１７】
また、本発明に係る車椅子によれば、座部のうちの少なくとも一部は隙間をあけて配設された左右方向に延在する軸回転自在の複数のローラー座部材で形成されているため、ローラー座部材に接触する要介助者の臀部や大腿部裏側の一部以外のその他の臀部や大腿部裏側の一部は座部の下方に露出される。これによって、露出された要介助者の臀部や大腿部裏側を洗い流すことができ、要介助者や介助者の負担を軽減することができる。また、要介助者の臀部や大腿部を複数のローラー座部材上で前後方向に摺動させる際、要介助者の臀部や大腿部裏側に接触するローラー座部材は軸回転され、ローラー座部材の軸回転によって要介助者の臀部や大腿部は前後方向に送り出される。これによって、座部の前端部分に腰掛けた要介助者を容易に深く座らせることができる。また、ローラー座部材間に露出された要介助者の臀部や大腿部裏側の一部を洗い流した後に、要介助者の臀部や大腿部を容易に前後方向に移動させてその他の臀部や大腿部裏側の一部を露出させることができ、要介助者の臀部及び大腿部裏側の全体を洗い流すことができる。
【発明を実施するための最良の形態】
【００１８】
以下、本発明に係る車椅子の第１，第２，第３及び第４の実施の形態について、図面に基いてそれぞれ説明する。
【００１９】
［第１の実施の形態］
まず、第１の実施の形態について説明する。なお、以下の説明では、図１の横方向を本実施形態の前後方向とし、図１の奥行き方向を本実施形態の左右方向とする。
図１は要介助者Ａを着座させる車椅子１の側面図であり、図２は車椅子１の平面図である。図１及び図２に示すように、車椅子１は、床Ｓ上を走行移動する台車部２と、要介助者Ａの臀部及び大腿部が載せられる座部３と、要介助者Ａの上半身（背中部）が寄り掛けられる背もたれ部４と、要介助者Ａの足部を支える足掛け部５とから構成されている。
【００２０】
台車部２は、四角形の籠状に組まれたフレーム６と、フレーム６の下端部の前後四隅にそれぞれ取り付けられた車輪１８とから構成されている。台車部２の上端部には座部３が設けられている。座部３は、フレーム６に固定された外枠座部材７と、外枠座部材７の内側に形成された第１及び第２の開閉座部材８，９と、第１及び第２の開閉座部材８，９を開閉させる開閉手段１０とから構成されている。
【００２１】
外枠座部材７は、フレーム６の前端及び両側端に沿ってコ字状に形成されている。外枠座部材７内の前端両側には矩形の第１の開閉座部材８がそれぞれ配置されており、２つの第１の開閉座部材８は隙間を開けて配置されている。外枠座部材７内の後端には、外枠座部材７の両側部間にかけて形成された矩形の第２の開閉座部材９が配置されており、２つの第１の開閉座部材８と第２の開閉座部材９とは凹状に配置されている。
【００２２】
２つの第１の開閉座部材８は外枠座部材７内の中央で左右方向に延在する一本の第１の回転軸ロッド１１ａで繋げられており、第１の回転軸ロッド１１ａは２つの第１の開閉座部材８の後端部にそれぞれ貫設されている。また、第２の開閉座部材９の前端部には、外枠座部材７内の中央で左右方向に延在する第２の回転軸ロッド１１ｂが貫設されている。第１及び第２の回転軸ロッド１１ａ，１１ｂはそれぞれ軸回転自在に設けられており、第１の開閉座部材８は第１の回転軸ロッド１１ａを軸に下方に開閉され、第２の開閉座部材９は第２の回転軸ロッド１１ｂを軸に下方に開閉される。また、第１，第２の開閉座部材８，９は、図示せぬ付勢部材によってそれぞれ常に上方に付勢されており、それぞれ閉じた状態となっている。
【００２３】
図３（ａ）は開閉手段１０を表す平面図であり、図３（ｂ）は開閉手段１０を表す側面図である。図２，図３（ａ）及び図３（ｂ）に示すように、開閉手段１０は、第１及び第２の回転軸ロッド１１ａ，１１ｂの一方の端部に設けられており、第１の開閉座部材８又は第２の開閉座部材９のうち何れか一方を閉めた状態で他方を開けるものである。具体的には、開閉手段１０は、第１及び第２の回転軸ロッド１１ａ，１１ｂの端部にそれぞれ固定された第１及び第２のピニオン１２ａ，１２ｂと、第１及び第２のピニオン１２ａ，１２ｂにそれぞれ噛合されているラック１３と、ラック１３の移動を案内する前後方向に延在するガイド部１４と、ラック１３を移動させるためのツマミ部１５と、第１及び第２のピニオン１２ａ，１２ｂ、ラック１３並びにガイド部１４をそれぞれ覆うカバー部１６とから構成されている。
【００２４】
ラック１３は第１及び第２のピニオン１２ａ，１２ｂの上方に前後方向に移動自在に設けられており、第１のピニオン１２ａと第２のピニオン１２ｂとの間を往復移動するものである。ラック１３は第１のピニオン１２ａと第２のピニオン１２ｂとの芯間隔より短く形成されており、前方向に移動したラック１３は第２のピニオン１２ｂから外れて第１のピニオン１２ａの上部に噛合され、後方向に移動したラック１３は第１のピニオン１２ａから外れて第２のピニオン１２ｂの上部に噛合され、中央に移動したラック１３は両端が第１及び第２のピニオン１２ａ，１２ｂにそれぞれ噛合される。
【００２５】
ラック１３の裏面にはピン１７が突設されており、ピン１７はガイド部１４に形成された前後方向に延在する長孔１４ａ内に嵌挿されている。また、ラック１３の表面にはツマミ部１５が突設されており、ツマミ部１５はカバー部１６に形成された前後方向に延在する開口部１６ａ内に挿通され、ツマミ部１５の先端は開口部１６ａからカバー部１６の外に突出されている。ツマミ部１５が開口部１６ａの中央に位置する場合、第１及び第２の開閉座部材８，９はそれぞれ閉じられ、ツマミ部１５が開口部１６ａの前端に位置する場合、第１の開閉座部材８は開かれて第２の開閉座部材９は閉じられ、ツマミ部１５が開口部１６ａの後端に位置する場合、第１の開閉座部材８は閉じられて第２の開閉座部材９は開かれる。
【００２６】
次に、上記した構成からなる車椅子１の使用方法について説明する。
【００２７】
まず、図１に示すように、要介助者Ａを車椅子１に着座させ、要介助者Ａの臀部及び大腿部を座部３上に載せる。このとき、開閉手段１０のツマミ部１５を中央に合わせて第１及び第２の開閉座部材８，９をそれぞれ閉じておく。そして、車椅子１に着座している要介助者Ａの胸部や背中部、腹部、腕部、大腿部の裏側以外の脚部等をシャワー等で洗い流す。
【００２８】
次に、第１の開閉座部材８を閉めた状態で第２の開閉座部材９を開ける。具体的には、開閉手段１０のツマミ部１５を後方に動かしてラック１３を後方に移動させる。ラック１３が後方に移動すると第２のピニオン１２ｂは回転し、第２のピニオン１２ｂに固定された第２の回転軸ロッド１１ｂは軸回転し、第２の開閉座部材９は鉛直方向に回転して開く。このとき、ラック１３は第１のピニオン１２ａから外れており、第１の開閉座部材８は図示せぬ付勢部材によって閉められている。そして、第２の開閉座部材９が開けられて露出された要介助者Ａの臀部をシャワー等で洗い流す。
【００２９】
次に、第２の開閉座部材９を閉めた状態で第１の開閉座部材８を開ける。具体的には、開閉手段１０のツマミ部１５を前方に動かしてラック１３を前方に移動させる。ラック１３が前方に移動すると第１のピニオン１２ａは回転し、第１のピニオン１２ａに固定された第１の回転軸ロッド１１ａは軸回転し、第１の開閉座部材８は鉛直方向に回転して開く。このとき、ラック１３は第２のピニオン１２ｂから外れ、第２の開閉座部材９は図示せぬ付勢部材によって鉛直方向に回転して閉められる。そして、第１の開閉座部材９が開けられて露出された要介助者Ａの大腿部の裏側をシャワー等で洗い流す。
【００３０】
なお、先に、第２の開閉座部材９を閉めた状態で第１の開閉座部材８を開けて大腿部の裏側を洗い流し、その後に、第１の開閉座部材８を閉めた状態で第２の開閉座部材９を開けて臀部を洗い流してもよい。つまり、第１及び第２の開閉座部材８，９のいずれか一方を閉じた状態で他方を開けて露出された要介助者Ａの身体の一部を洗い流し、次に、第１及び第２の開閉座部材８，９のうち閉じられている一方を開けるとともに他方を閉じて露出された要介助者Ａの体の一部を洗い流せばよい。
【００３１】
上記した構成からなる車椅子１によれば、座部３上の要介助者Ａの臀部や大腿部裏側は、第１の開閉座部材８又は第２の開閉座部材９の何れか一方が下方に開き、接触していた第１の開閉座部材８又は第２の開閉座部材９の何れか一方が離れることで座部３の下方に露出される。一方、要介助者Ａの身体は下方に開いた第１の開閉座部材８又は第２の開閉座部材９の何れか他方に支持される。これによって、露出された要介助者Ａの臀部や大腿部裏側を洗い流すことができ、要介助者Ａや介助者の負担を軽減することができる。
【００３２】
また、上記した車椅子１は、開閉手段１０によって、第１の開閉座部材８又は第２の開閉座部材９の何れか一方を閉めた状態で他方が開けられるため、第１及び第２の開閉座部材８，９の双方が開いた状態になることはなく、第１の開閉座部材８又は第２の開閉座部材９の何れかは必ず閉じた状態となり、閉じられた第１の開閉座部材８又は第２の開閉座部材９によって要介助者Ａの身体は支持され、また、開閉手段１０によって第１及び第２の開閉座部材８，９は交互に開閉されて要介助者Ａの臀部及び大腿部裏側は交互に露出される。これによって、要介助者Ａの身体を第１の開閉座部材８又は第２の開閉座部材９の何れかで支持することができ、第１及び第２の開閉座部材８，９の双方が開いて要介助者Ａの臀部が外枠座部材７内に落ちることを防止することができる。
【００３３】
［第２の実施の形態］
次に、第２の実施の形態について説明する。
図４は要介助者Ａを着座させる車椅子１００の側面図であり、図５は車椅子１００の平面図であり、図６は車椅子１００の正面図である。図４，図５及び図６に示すように、座部１０１は、コ字状に形成された外枠座部材１０２と、外枠座部材１０２の内側に形成された開閉座部材１０３と、開閉座部材１０３を開閉させる開閉手段１０４とから構成されている。
【００３４】
開閉座部材１０３は、外枠座部材１０２内で左右２つの第１の開閉座部材１０３ａと第２の開閉座部材１０３ｂに振り分けられて配置されている。第１及び第２の開閉座部材１０３ａ，１０３ｂはＬ形にそれぞれ形成されており、後端内側部の間は近接され、前端内側部の間は間隔が開けられ、第１の開閉座部材１０３ａと第２の開閉座部材１０３ｂとは全体で凹状に配置されている。
【００３５】
第１及び第２の開閉座部材１０３ａ，１０３ｂの後端内側部には、外枠座部材１０２内中央で前後方向（図５の横方向）に延在する第１及び第２の回転軸ロッド１０５ａ，１０５ｂがそれぞれ貫設されている。第１及び第２の回転軸ロッド１０５ａ，１０５ｂはそれぞれ軸回転自在に設けられており、第１の開閉座部材１０３ａは第１の回転軸ロッド１０５ａを軸に下方に開閉され、第２の開閉座部材１０３ａは第２の回転軸ロッド１０５ｂを軸に下方に開閉される。また、第１及び第２の回転軸ロッド１０５ａ，１０５ｂの後端には、第１の開閉座部材１０３ａ又は第２の開閉座部材１０３ｂのうち何れか一方を閉めた状態で他方を開ける開閉手段１０４が設けられている。
【００３６】
図７は開閉手段１０４の正面図である。図７に示すように、開閉手段１０４には左右方向に移動するツマミ部１０６が備えられている。ツマミ部１０６が右方向に移動されると第１の開閉座部材１０３ａが第１の回転軸ロッド１０５ａを軸に鉛直方向に回転されて第１の開閉座部材１０３ａは下方に開けられ、このとき第２の開閉座部材１０３ｂは閉じられている。また、ツマミ部１０６が左方向に移動されると第２の開閉座部材１０３ｂが第２の回転軸ロッド１０５ｂを軸に鉛直方向に回転されて第２の開閉座部材１０３ｂは下方に開けられ、このとき第１の開閉座部材１０３ａは閉じられている。さらに、ツマミ部１０６が中央に移動されると、第１及び第２の開閉座部材１０３ａ，１０３ｂはそれぞれ閉じられる。
【００３７】
上記した構成からなる車椅子１００によれば、第１の開閉座部材１０３ａ又は第２の開閉座部材１０３ｂのうち何れか一方を閉じた状態で他方を開けて、露出された要介助者Ａの臀部及び大腿部裏側の一部を洗い流すことができる。第１及び第２の開閉座部材１０３ａ，１０３ｂは開閉手段１０４によって、少なくとも何れか一方は閉じた状態となるため要介助者Ａの身体は閉じられた一方の開閉座部材によって支持することができる。
【００３８】
［第３の実施の形態］
次に、第３の実施の形態について説明する。
図８は要介助者Ａを着座させる車椅子２００の側面図であり、図９は車椅子２００の平面図であり、図１０は車椅子２００の正面図である。図８，図９及び図１０に示すように、座部２０１は、Ｃ字状に形成された外枠座部材２０２と、外枠座部材２０２の内側に配置された複数の矩形の上下動座部材２０３と、上下動座部材２０３をそれぞれ上下動させる上下動手段２０４とから構成されている。
【００３９】
複数の上下動座部材２０３は、外枠座部材２０２内の両側に間隔をあけて前後方向にそれぞれ配設されている。上下動座部材２０３は第１の上下動座部材２０３ａと第２の上下動座部材２０３ｂとから構成されており、第１の上下動座部材２０３ａと第２の上下動座部材２０３ｂとは交互に配置されている。
【００４０】
上下動手段２０４は、第１の上下動座部材２０３ａ又は第２の上下動座部材２０３ｂのうち何れか一方を下方に移動させた状態で他方を上方に移動させる平面カム機構からなるものであり、具体的には、前後方向に往復移動するピストン２０５ａを有するシリンダー２０５と、シリンダー２０５によって前後方向に往復移動するレール２０６と、往復移動するレール２０６を案内するガイド部２０７と、第１及び第２の上下動座部材２０３ａ，２０３ｂの下面に取り付けられてレール２０６上を回転するローラー２０８とから構成されている。
【００４１】
シリンダー２０５は座部２０１の下方に配置されているとともに前後方向に延在されており、ピストン２０５ａは前方向に向けられている。ピストン２０５ａの先端には上方に屈曲されたＬ形ロッド２０９の一端が接合されている。レール２０６は、両側に配設された上下動座部材２０３の下方にそれぞれ形成されており、２本のレール２０６は平行に前後方向に延在されている。２本のレール２０６の間には複数の連結材２１０が架設されており、２本のレール２０６は連結材２１０を介して連結されている。連結材２１０の両端部はレール２０６にそれぞれ貫設されており、連結材２１０の先端はレール２０６の外側にそれぞれ突出されている。
【００４２】
先端はレール２０６の外側には、前後方向に延在するガイド部２０７がそれぞれ配置されており、ガイド部２０７には前後方向に延在する長孔２０７ａがそれぞれ形成されている。長孔２０７ａ内には突出した連結材２１０の先端が嵌挿されており、連結材２１０を介して連結された２本のレール２０６は長孔２０７ａに沿って前後移動自在に設けられている。また、Ｌ形ロッド２０９の他端は連結材２１０の中央部に接合されており、レール２０６とピストン２０５ａとはＬ形ロッド２０９及び連結材２１０を介して接続されている。
【００４３】
レール２０６の上面は凸凹状に形成されており、山部２０６ａと谷部２０６ｂとが形成されている。レール２０６上面の山部２０６ａと谷部２０６ｂにはそれぞれローラー２０８が載せられており、ローラー２０８は上下動座部材２０３の下面から垂設された２つの板状の吊下げ部材２１１を介して上下動座部材２０３に取り付けられている。ローラー２０８は吊下げ部材２１１の先端に挟持されており、吊下げ部材２１１の先端に回転自在に取り付けられている。第１の上下動座部材２０３ａ及び第２の上下動座部材２０３ｂのローラー２０８は、通常時には、それぞれ山部２０６ａ上に配置され、第１の上下動座部材２０３ａ及び第２の上下動座部材２０３ｂはフラットに配置され、洗浄時には、第１の上下動座部材２０３ａ又は第２の上下動座部材２０３ｂの何れか一方のローラー２０８は谷部２０６ｂに配置され、第１の上下動座部材２０３ａと第２の上下動座部材２０３ｂとは凹凸状に配置される。
【００４４】
上記した構成からなる車椅子２００によれば、シリンダー２０５を作動させてピストン２０５ａを往復移動させることでレール２０６は前後方向に往復移動し、レール２０６上に載せられたローラー２０８はレール２０６上で回転するとともにレール２０６上面の凸凹形状に沿って上下動し、ローラー２０８に取り付けられた上下動座部材２０３は上方向に移動する。交互に配置された第１の上下動座部材２０３ａと第２の上下動座部材２０３ｂとは交互に上下方向に移動され、第１の上下動座部材２０３ａが上方に移動したときには、要介助者Ａの身体は第１の上下動座部材によって支持され、第２の上下動座部材に２０３ｂの上方に位置する臀部や大腿部裏側の一部は、第２の上下動座部材２０３ｂから離れて露出される。これによって、露出された要介助者Ａの臀部や大腿部裏側の一部を洗い流すことができ、臀部や大腿部裏側を洗い流す際の要介助者Ａ及び介助者の負担を軽減することができる。
【００４５】
また、上下動手段２０４によって第１及び第２の上下動座部材２０３ａ，２０３ｂの双方が上方或いは下方に移動することはないため、第１の上下動座部材２０３ａ又は第２の上下動座部材２０３ｂの何れか一方によって要介助者Ａの身体は支持することができる。
【００４６】
［第４の実施の形態］
次に、第４の実施の形態について説明する。
図１１は要介助者Ａを着座させる車椅子３００の側面図であり、図１２は車椅子３００の平面図であり、図１３は車椅子３００の正面図である。図１１，図１２及び図１３に示すように、座部３０１は、コ字状に形成された外枠座部材３０２と、外枠座部材３０２内の後端部に配置された複数のローラー座部材３０３と、外枠座部材３０２内の前端部両側にそれぞれ配置された矩形座部材３０４とから構成されている。
【００４７】
複数のローラー座部材３０３は左右方向にそれぞれ延在されており、両端が外枠座部材３０２に回転自在に取り付けられてローラー座部材３０３は軸回転自在に配置されている。また、複数のローラー座部材３０３は間隔をあけて配設されており、隣り合うローラー座部材３０３の間には隙間が形成されている。また、矩形座部材３０４は間隔をあけて左右対称に配置されており、中央付近には隙間が形成されている。
【００４８】
上記した構成からなる車椅子３００によれば、隣り合うローラー座部材３０３の間に形成された隙間によって、臀部や大腿部裏側の一部は座部３０１の下方に露出される。これによって、露出された臀部や大腿部裏側を洗い流すことができ、臀部や大腿部裏側を洗い流す際の要介助者Ａ及び介助者の負担を軽減することができる。
【００４９】
また、複数のローラー座部材３０３はそれぞれ軸回転自在に設けられているため、要介助者Ａの臀部や大腿部を複数のローラー座部材３０３の上で前後方向に摺動させる際、要介助者Ａの臀部や大腿部裏側に接触するローラー座部材３０３は軸回転され、ローラー座部材３０３の軸回転によって要介助者Ａの臀部や大腿部は前後方向に送り出される。これによって、座部３０１の前端部分に腰掛けた要介助者Ａを容易に深く座らせることができる。また、ローラー座部材３０３間に露出された要介助者Ａの臀部や大腿部裏側の一部を洗い流した後に、要介助者Ａの臀部や大腿部を容易に前後方向に移動させることができ、その他の臀部や大腿部裏側の一部を露出させて要介助者Ａの臀部及び大腿部裏側の全体を洗い流すことができる。
【００５０】
以上、本発明に係る車椅子の第１，第２，第３及び第４の実施の形態について説明したが、本発明は上記した実施の形態に限定されるものではなく、その趣旨を逸脱しない範囲で適宜変更可能である。例えば、上記した第１の実施の形態では、座部３の中央で左右方向に延在された第１及び第２の回転軸ロッド１１ａ，１１ｂを軸に前後に開閉する第１及び第２の開閉座部材８，９が設けられているが、本発明は、回転軸ロッドを座部３の前端及び後端で左右方向に延在させ、前後に観音開きされる開閉座部材を設けてもよい。
【００５１】
また、上記した第２の実施の形態では、座部１０１の中央で前後方向に延在された第１及び第２の回転軸ロッド１０５ａ，１０５ｂを軸に左右に開閉する第１及び第２の開閉座部材１０３ａ，１０３ｂが設けられているが、本発明は、回転軸ロッドを座部１０１の両側端で前後方向に延在させ、左右に観音開きされる開閉座部材を設けてもよい。さらに、前後に開かれる開閉座部材と左右に開かれる開閉座部材とを組み合わせて設けてもよい。
【００５２】
また、上記した第３の実施の形態では、上下動座部材２０３を上下方向に移動させる上下動手段２０４としてはカム機構を用いたものが設けられているが、本発明は、リンク機構を用いた上下動手段を設けてもよく、その他の機構を用いて上下動座部材２０３を上下方向に移動させてもよい。
【００５３】
また、上記した第４の実施の形態では、ローラー座部材３０３は座部３０１の後端部分に配置されているが、本発明は、ローラー座部材３０３を座部３０１の前端部分に配置してもよく、座部３０１の全体に配置してもよい。
【図面の簡単な説明】
【００５４】
【図１】本発明に係る車椅子の第１の実施の形態を表す側面図である。
【図２】本発明に係る車椅子の第１の実施の形態を表す平面図である。
【図３】本発明に係る車椅子の第１の実施の形態を表す部分詳細図である。
【図４】本発明に係る車椅子の第２の実施の形態を表す側面図である。
【図５】本発明に係る車椅子の第２の実施の形態を表す平面図である。
【図６】本発明に係る車椅子の第２の実施の形態を表す正面図である。
【図７】本発明に係る車椅子の第２の実施の形態を表す部分詳細図である。
【図８】本発明に係る車椅子の第３の実施の形態を表す側面図である。
【図９】本発明に係る車椅子の第３の実施の形態を表す平面図である。
【図１０】本発明に係る車椅子の第３の実施の形態を表す正面図である。
【図１１】本発明に係る車椅子の第４の実施の形態を表す側面図である。
【図１２】本発明に係る車椅子の第４の実施の形態を表す平面図である。
【図１３】本発明に係る車椅子の第４の実施の形態を表す正面図である。
【符号の説明】
【００５５】
１，１００，２００，３００  車椅子
３，１０１，２０１，３０１  座部
８，１０３ａ  第１の開閉座部材（開閉座部材）
９，１０３ｂ  第２の開閉座部材（開閉座部材）
１０，１０４  開閉手段
１０３  開閉座部材
２０３  上下動座部材
２０３ａ  第１の上下動座部材
２０３ｂ  第２の上下動座部材
２０４  上下動手段
３０３  ローラー座部材
Ａ  要介助者
【図１】
2005118122.tif 000003
【図２】
2005118122.tif 000004
【図３】
2005118122.tif 000005
【図４】
2005118122.tif 000006
【図５】
2005118122.tif 000007
【図６】
2005118122.tif 000008
【図７】
2005118122.tif 000009
【図８】
2005118122.tif 000010
【図９】
2005118122.tif 000011
【図１０】
2005118122.tif 000012
【図１１】
2005118122.tif 000013
【図１２】
2005118122.tif 000014
【図１３】
2005118122.tif 000015